(57)【要約】【課題】電力が必要な時のみディスク装置の供給電圧を上げ、通常再生時には供給電圧を下げて、ディスク装置の消費電流を下げることができる再生装置を提供する。【解決手段】ディスク再生機能を有する再生装置において、当該再生装置は、ディスク装置１と機器本体３とにより構成されており、ディスク装置１のメカ側制御部１７は、ディスク装置１の動作状態を機器本体３に送信するメカ状態送信手段１７１を備え、本体側制御部３１は、メカ状態送信手段１７１から受信したディスク装置１の動作状態に応じて、電源３２から供給する電圧を切り換える電源切換手段３１１を備えるようにしたので、電源切換のための制御手段を備えていないディスク装置であったとしても、電力が必要な時のみディスク装置の供給電圧を上げることができ、通常再生時には供給電圧を下げて、全体としてディスク装置の消費電流を下げることができる。【選択図】図２
2013182638.tif 000002
【特許請求の範囲】
【請求項１】
ディスク再生機能を有する再生装置において、
ディスクの搬送を行うディスク搬送ローラ駆動部と、
ディスクのターンテーブルを回転させるディスク回転モータと、
ディスク上の位置を示す光学ピックアップを移動させる送りシャフトと、
前記ディスク搬送ローラ駆動部、前記ディスク回転モータ、前記送りシャフトそれぞれの動作を制御するメカ側制御部とを備えたディスク装置と、
前記メカ側制御部と情報のやりとりを行って、前記再生装置の動作を制御する本体側制御部と、
前記ディスク搬送ローラ駆動部、前記ディスク回転モータ、前記送りシャフトそれぞれに対して電圧を供給する電源とを備えた機器本体と
を備え、
前記メカ側制御部は、前記ディスク装置の動作状態を前記機器本体に送信するメカ状態送信手段を有し、
前記本体側制御部は、前記メカ状態送信手段から受信した前記ディスク装置の動作状態に応じて、前記電源から供給する電圧を切り換える電源切換手段を有する
ことを特徴とする再生装置。
【請求項２】
前記電源切換手段は、前記ディスク装置の動作状態が、ディスク搬送中、光学ピックアップ送り中、ターンテーブル起動時、ターンテーブル停止時のいずれかである場合には、前記電源から供給する電圧を前記ディスクの通常再生時より高い電圧に切り換える
ことを特徴とする請求項１記載の再生装置。
【発明の詳細な説明】
【技術分野】
【０００１】
この発明は、ＣＤ等のディスク再生機能を有する再生装置に関するものである。
【背景技術】
【０００２】
一般的に、ＣＤ等のディスク再生機能を有する再生装置は、ディスクを挿入すると、そのディスクを搬送して再生するディスク装置（ＣＤメカ）と、そのディスク装置に電源を供給して再生装置全体の動作を制御する機器本体とにより構成されている。
この際、ＣＤ等のディスクの搬送（ローディングまたはイジェクト）を行うために、ローディングモータを駆動する必要がある。この時、モータの駆動力を確保するために比較的高い供給電圧が必要となるが、それ以外の通常のディスク再生時には、これよりも低い供給電圧で動作することが可能である。
【０００３】
そこで、機器本体の電源からディスク装置に対して、ディスク搬送のために必要な比較的高い電圧を常に供給することとすると、通常のディスク再生時には無駄な電力を使用することになってしまい、逆に、再生装置の消費電力を下げるために、常に低い電圧を供給することとすると、ディスクのローディングまたはイジェクトの際に時間がかかり過ぎてしまい、ユーザにとって快適に使用できない、という問題があった。
【先行技術文献】
【特許文献】
【０００４】
【特許文献１】特開２０００−２８５５７２号公報
【発明の概要】
【発明が解決しようとする課題】
【０００５】
上記のような問題に対処するために、ローディングモータを駆動する時など高い電圧が必要とされる場合には供給電圧を上げるよう、ディスク装置（ＣＤメカ）側から制御を行うことも考えられるが、この場合には、ディスク装置（ＣＤメカ）の制御部から機器本体の電源に対して制御信号を送るための通信ラインを設けて接続しなければならなかった。また、ディスク装置（ＣＤメカ）側のコスト削減のために、そのような制御機能は省力される傾向にあり、例えば他社製のディスク装置（ＣＤメカ）を搭載する場合には、ディスク装置（ＣＤメカ）側に供給電圧を制御する機能がついていなければ、供給電圧を制御することができない、という課題もあった。
【０００６】
この発明は、上記のような課題を解決するためになされたものであり、どのタイプのディスク装置を使用する場合であっても、電力が必要な時のみディスク装置の供給電圧を上げ、通常再生時には供給電圧を下げて、ディスク装置の消費電流を下げることができる再生装置を提供することを目的とする。
【課題を解決するための手段】
【０００７】
上記目的を達成するため、この発明は、ディスク再生機能を有する再生装置において、ディスクの搬送を行うディスク搬送ローラ駆動部と、ディスクのターンテーブルを回転させるディスク回転モータと、ディスク上の位置を示す光学ピックアップを移動させる送りシャフトと、前記ディスク搬送ローラ駆動部、前記ディスク回転モータ、前記送りシャフトそれぞれの動作を制御するメカ側制御部とを備えたディスク装置と、前記メカ側制御部と情報のやりとりを行って、前記再生装置の動作を制御する本体側制御部と、前記ディスク搬送ローラ駆動部、前記ディスク回転モータ、前記送りシャフトそれぞれに対して電圧を供給する電源とを備えた機器本体とを備え、前記メカ側制御部は、前記ディスク装置の動作状態を前記機器本体に送信するメカ状態送信手段を有し、前記本体側制御部は、前記メカ状態送信手段から受信した前記ディスク装置の動作状態に応じて、前記電源から供給する電圧を切り換える電源切換手段を有することを特徴とする。
【発明の効果】
【０００８】
この発明の再生装置によれば、電源切換のための制御手段を備えていないディスク装置であったとしても、ディスクのローディング時など、電力が必要な時のみディスク装置の供給電圧を上げることができ、通常再生時には供給電圧を下げて、全体としてディスク装置の消費電流を下げることができる。
【図面の簡単な説明】
【０００９】
【図１】ディスク再生機能を有する再生装置の一般的な構成を示すブロック図である。
【図２】実施の形態１における再生装置の構成を示すブロック図である。
【図３】ディスク装置（ＣＤメカ）の主な動作状態を示す表である。
【図４】ディスク搬送時に電源電圧を高くする際の本体側制御部における処理を示すフローチャートである。
【図５】光学ピックアップ移動中に電源電圧を高くする際の本体側制御部における処理を示すフローチャートである。
【発明を実施するための形態】
【００１０】
以下、この発明の実施の形態について、図面を参照しながら詳細に説明する。
実施の形態１．
図１は、ＣＤ等のディスク再生機能を有する再生装置の一般的な構成を示すブロック図である。再生装置は、大きく分けてディスク装置（ＣＤメカ）１と機器本体２により構成されており、機器本体２にこの再生装置全体の動作を制御する制御部を有する基板が備えられている。
【００１１】
ディスク装置１は、ディスク１０をローディングまたはイジェクトするディスク搬送ローラ１１と、ディスク搬送ローラ１１を駆動させるディスク搬送ローラ駆動部１２と、ディスク１０を載置させるターンテーブル１３と、ターンテーブル１３を回転させるディスク回転モータ１４と、ディスク１０の記録面にレーザビームを照射してデータを読み取る光学ピックアップ１５と、光学ピックアップ１５を移動させる送りシャフト１６と、ディスク搬送ローラ駆動部１２、ディスク回転モータ１４、送りシャフト１６それぞれの動作を制御するメカ側制御部１７を備えている。
【００１２】
機器本体２は、メカ側制御部１７と情報のやりとりを行って、再生装置の動作を制御する本体側制御部２１と、ディスク搬送ローラ駆動部１２、ディスク回転モータ１４、送りシャフト１６それぞれに対して電圧を供給する電源２２とを備えている。
なお、図１における実線の矢印は、通信ラインまたは制御ラインを表しており、破線は電源ラインを表すものである。
【００１３】
図２は、この実施の形態１における再生装置の構成を示すブロック図である。この再生装置も、図１に示す一般的な再生装置と同様に、ディスク装置１と機器本体３により構成されており、機器本体３に再生装置全体を制御する基板が備えられている。
この再生装置におけるディスク装置１は、図１に示す構成と同じである。なお、図２には、ディスク装置１におけるメカ側制御部１７がメカ状態送信手段１７１を有していることも明示されているが、これは、図示はしていないが図１におけるディスク装置１のメカ側制御部１３も同様に有しており、ディスク装置１の動作状態を機器本体２に送信するものである。
【００１４】
また、機器本体３も図１に示す機器本体２と同様に、本体側制御部３１と、電源３２とを備えているが、この実施の形態１における本体側制御部３１は、図１に示す本体側制御部２１とは異なり、電源切換手段３１１を有している。この電源切換手段３１１は、ディスク装置１のメカ状態送信手段１７１から送られてきたディスク装置１の動作状態に応じて、電源３２からディスク装置１に供給する電源電圧を制御するものである。
【００１５】
図３は、メカ状態送信手段１３１から送られてくる、主な動作状態を示す表である。図３に示すように、ディスク装置１の主な動作状態（ステータス）としては、（１）ディスク搬送開始、（２）ディスク搬送終了、（３）サーチ開始、（４）サーチ終了、（５）ターンテーブル起動、（６）ターンテーブル停止、などである。
一方、高い供給電圧が必要とされる動作状態としては、ディスク搬送中、光学ピックアップ送り中、ターンテーブル起動時、ターンテーブル停止時である。
【００１６】
そこで、図３に示す動作状態（ステータス）のうち、（１）ディスク搬送開始が送られてきてから（２）ディスク搬送終了が送られてくるまで、（３）サーチ開始（光学ピックアップ搬送開始）が送られてきてから（４）サーチ終了（光学ピックアップ搬送終了）が送られてくるまで、（５）ターンテーブル起動が送られてきた時、（６）ターンテーブル停止が送られてきた時、のいずれかである場合には、高い供給電圧を必要とすると判断し、電源３２から供給する電圧をディスクの通常再生時より高い電圧に切り換えるよう制御する。
【００１７】
図４は、ディスク搬送時に電源電圧を高くする際の本体側制御部３１における処理を示すフローチャートである。
まず初めに、ＣＤ等のディスク１０が挿入された際に、本体側制御部３１がディスク１０を搬送するかどうかを判断して、ディスク搬送すると判断した場合（ステップＳＴ１のＹＥＳの場合）、ディスク装置１に対するディスク搬送命令をメカ側制御部１７に送出する（ステップＳＴ２）。これにより、メカ側制御部１７は、メカ状態送信手段１７１からディスク搬送開始ステータスを本体側制御部３１に送信するとともに、ディスク搬送を開始する。
【００１８】
本体側制御部３１は、メカ側制御部１７のメカ状態送信手段１７１からディスク搬送開始ステータスを受信すると（ステップＳＴ３のＹＥＳの場合）、ディスク装置１用の電源電圧を昇圧して供給する（ステップＳＴ４）。ディスク装置１は、昇圧された電源によりディスク搬送ローラ駆動部１２の搬送力を確保してディスク搬送を行い、ディスク搬送が終了した時点で、メカ側制御部１７のメカ状態送信手段１７１がディスク搬送終了ステータスを本体側制御部３１へ送信する。
【００１９】
そして、本体側制御部３１は、メカ側制御部１７のメカ状態送信手段１７１からディスク搬送終了ステータスを受信すると（ステップＳＴ５のＹＥＳの場合）、ディスク装置１用の電源電圧を昇圧前の元の電圧に戻す（ステップＳＴ６）。
このように、ディスク搬送開始から終了までのディスク搬送中は、供給する電源電圧を高くすることにより適切な搬送速度を確保することができ、また、ディスク搬送終了後には低い電源電圧を供給することにより、ディスク装置の消費電力を削減することができる。
【００２０】
次に、光学ピックアップ送り中に電源電圧を高くする際の本体側制御部３１における処理について説明する。図５は、光学ピックアップ移動中に電源電圧を高くする際の本体側制御部３１における処理を示すフローチャートである。
まず初めに、例えば挿入されたＣＤ等のディスク中の曲が選択された際に、本体側制御部３１がディスク１０の曲間のサーチを行うかどうかを判断して、サーチを行うと判断した場合（ステップＳＴ１１のＹＥＳの場合）、ディスク装置１に対するサーチ命令をメカ側制御部１７に送出する（ステップＳＴ１２）。これにより、メカ側制御部１７は、メカ状態送信手段１７１からサーチ開始ステータス（光学ピックアップ送り開始ステータス）を本体側制御部３１に送信するとともに、サーチを開始する。
【００２１】
本体側制御部３１は、メカ側制御部１７のメカ状態送信手段１７１からサーチ開始ステータス（光学ピックアップ送り開始ステータス）を受信すると（ステップＳＴ１３のＹＥＳの場合）、ディスク装置１用の電源電圧を昇圧して供給する（ステップＳＴ１４）。ディスク装置１は、昇圧された電源により光学ピックアップ１５の送りシャフト１６の搬送力を確保してサーチ動作を行い、サーチが終了した時点で、メカ側制御部１７のメカ状態送信手段１７１がサーチ終了ステータス（光学ピックアップ送り終了ステータス）を本体側制御部３１へ送信する。
【００２２】
そして、本体側制御部３１は、メカ側制御部１７のメカ状態送信手段１７１からサーチ終了ステータス（光学ピックアップ送り終了ステータス）を受信すると（ステップＳＴ１５のＹＥＳの場合）、ディスク装置１用の電源電圧を昇圧前の元の電圧に戻す（ステップＳＴ１６）。
このように、サーチ開始から終了までの光学ピックアップ移動中は、供給する電源電圧を高くすることにより適切なサーチ速度を確保することができ、また、サーチ終了後には低い電源電圧を供給することにより、ディスク装置の消費電力を削減することができる。
【００２３】
なお、ディスクを再生する際のターンテーブル起動時および停止時の処理については説明を省略するが、ディスクの再生ボタン等が押されてターンテーブルが起動し始める時およびディスクの停止ボタン等が押されてターンテーブルが停止し始める時にも、同じように供給する電源電圧を高い電圧に切り換えて、ディスクの再生開始時および再生終了時に必要な高い電源電圧を供給し、通常のディスク再生中には低い電源電圧を供給することにより、ディスク装置の消費電力を削減するようにすればよい。
【００２４】
以上のように、この実施の形態１における再生装置によれば、機器本体３の本体側生制御部３１が、ディスク装置１から動作状態（ＣＤメカのステータス）を受け取って、その状態から電源電圧の昇降の要否を判断し、ディスクのローディングやイジェクト等の電力が必要な場合には供給電圧を上げてあげることにより、電源切換のための制御手段を備えていないディスク装置であったとしても、ディスク装置１側への電源電圧切換機能の搭載や制御端子の追加が不要で、ディスク装置１と機器本体３に搭載されるそれぞれの制御部間を接続する電源切換用の接続ラインを追加することなく電源切り換えを可能にし、ディスクのローディング時など、電力が必要な時のみディスク装置の供給電圧を上げることができ、通常再生時には供給電圧を下げて、全体としてディスク装置の消費電流を下げることができる。
【００２５】
なお、本願発明はその発明の範囲内において、実施の形態の任意の構成要素の変形、もしくは実施の形態の任意の構成要素の省略が可能である。
【符号の説明】
【００２６】
１  ディスク装置（ＣＤメカ）、２，３  機器本体、１０  ディスク（ＣＤ）、１１  ディスク搬送ローラ、１２  ディスク搬送ローラ駆動部、１３  ターンテーブル、１４  ディスク回転モータ、１５  光学ピックアップ、１６  送りシャフト、１７  メカ側制御部、２１，３１  本体側制御部、２２，３２  電源、１７１  メカ状態送信手段、３１１  電源切換手段。
【図１】
2013182638.tif 000003
【図２】
2013182638.tif 000004
【図３】
2013182638.tif 000005
【図４】
2013182638.tif 000006
【図５】
2013182638.tif 000007